(57)【要約】【課題】  リモコン装置にマイクを設けた従来の音声認識処理システムでは、リモコン装置本体に音声認識処理システムの中央処理装置、認識処理用参照辞書データのための外部記憶装置を搭載することで、リモコン装置のコスト上昇が避けられない。【解決手段】  テレビ放送録画機４０を操作するリモコン装置２０は、マイク２６から入力してディジタル化した音声データを、無線通信部２９から無線アクセスポイント３７、インターネット接続装置３６、インターネット３５からなる双方向の伝送路を経由して接続された音声認識処理サーバ３０に送信する。音声認識処理サーバ３０は入力音声データの音声認識処理を行い、その音声認識結果を、上記の伝送路を経由してリモコン装置２０に返送する。リモコン装置２０は、受信した音声認識結果を赤外線通信により、テレビ放送録画機４０に送信して、録画予約等の検索ワードの表示など、その動作を制御する。【選択図】            図１
2005065156.tif 000002
【特許請求の範囲】
【請求項１】
映像信号記録再生装置を遠隔操作する機能と音声入出力機能を備えたリモコン装置と、入力された音声信号の音声認識処理を行う音声認識処理サーバと、前記リモコン装置及び前記音声認識処理サーバ間を回線接続する所定の伝送手段とよりなる音声認識処理システムであって、
前記リモコン装置は、
入力された前記映像信号記録再生装置の動作制御に関する音声を収音して、ディジタル音声データに変換する音声入力手段と、
前記ディジタル音声データを前記所定の伝送手段を介して前記音声認識処理サーバに送信する第１の送信手段と、
前記音声認識処理サーバによる前記ディジタル音声データの音声認識結果を、前記所定の伝送手段を介して前記音声認識処理サーバから受信する第１の受信手段と、
前記映像信号記録再生装置を赤外線リモコン信号により遠隔操作して所望の動作を行わせると共に、前記第１の受信手段により受信した前記音声認識結果を前記映像信号記録再生装置へ前記赤外線リモコン信号の形態で送信して、該映像信号記録再生装置に該音声認識結果に応じた動作を行わせる第２の送信手段とを有し、
前記音声認識処理サーバは、
前記リモコン装置から前記所定の伝送手段を介して送信された前記ディジタル音声データを受信する第２の受信手段と、
前記第２の受信手段により受信した前記ディジタル音声データの音声認識処理を行い、得られた前記音声認識結果を、前記所定の伝送手段を介して前記リモコン装置へ送信する音声認識結果送信手段とを有することを特徴とする音声認識処理システム。
【請求項２】
前記リモコン装置は、前記第１の受信手段により受信した前記音声認識結果を前記リモコン信号送信手段により前記映像信号記録再生装置へ前記赤外線リモコン信号の形態で送信する際に、少なくとも前記映像信号記録再生装置のシリアル番号と該リモコン装置固有の所定の番号とを送信すると共に、該映像信号記録再生装置のシリアル番号と該リモコン装置固有の所定の番号とを組み合わせＩＤ番号として記憶する不揮発性の外部記憶装置を有することを特徴とする請求項１記載の音声認識処理システム。
【請求項３】
前記音声認識処理サーバは複数の前記リモコン装置に共通に設けられ、前記所定の伝送手段は、前記音声認識処理サーバに接続される通信ネットワークと、該通信ネットワークと前記リモコン装置とを個別に接続する無線通信網とからなることを特徴とする請求項１又は２記載の音声認識処理システム。
【請求項４】
請求項１記載の音声認識処理システムにおいて用いられる映像信号記録再生装置であって、
前記リモコン装置から送信される前記赤外線リモコン信号を受信するリモコン信号受信手段と、
初期設定時に前記リモコン装置から送信された、該リモコン装置固有の所定の番号と該映像信号記録再生装置自身のシリアル番号を記憶するＩＤ番号記憶用外部記憶装置と、
前記リモコン信号受信手段により受信した信号が、該映像信号記録再生装置自身のシリアル番号及び前記リモコン装置固有の所定の番号からなる組み合わせＩＤ番号と前記音声認識結果であるときは、前記ＩＤ番号記憶用外部記憶装置に記憶されている該リモコン装置固有の所定の番号と該映像信号記録再生装置自身のシリアル番号を、受信した前記組み合わせＩＤ番号と比較し、両者が一致するときにのみ前記音声認識結果に基づく文字列を表示し、両者が不一致のときは前記音声認識結果を破棄する処理手段と
を有することを特徴とする映像信号記録再生装置。
【発明の詳細な説明】
【技術分野】
【０００１】
本発明は音声認識処理システム及びそれに用いる映像信号記録再生装置に係り、特に音声認識結果を赤外線通信により送信する音声認識処理システム、及び送信された音声認識結果を検索キーワードに利用する映像信号記録再生装置に関する。
【背景技術】
【０００２】
テレビ放送の番組情報をハードディスク（以下ＨＤＤ）などの大容量の記録媒体に録画できるハードディスクレコーダやビデオディスクレコーダなどの装置が近年増えてきている。これらの装置（以下ＶＤＲと略す）は長時間の録画が可能なため、録画済み番組が数十作品に及ぶこともあり、その選出のために番組名や出演者名などの番組情報から指定キーワードによって検索することが可能である。また、録画予約に関しても、従来のＶＤＲでは、テレビ放送波に重畳されて受信される電子番組表（以下ＥＰＧ）や、ネットワーク接続機能に基づいて入手したインターネット上の電子番組表（以下ｉＥＰＧ）の放送予定番組情報からキーワード指定などによる番組検索が可能で、絞り込まれた候補番組を録画予約の指定に利用することが可能である。
【０００３】
どちらの場合も、検索条件のキーワード指定はテレビ画面に表示される対話的操作画面の表示に従い、条件設定を行う。この操作は一般に赤外線リモコンの操作ボタンを駆使して条件を指定している。例えば、予め装置側が設定した規定のキーワードを画面に表示してその中から選択する方法で利用者操作の煩雑さを軽減しているものもある。
【０００４】
また、上記のＥＰＧ情報やｉＥＰＧ情報を基に、録画予約を行う場合、ＥＰＧやｉＥＰＧ情報は、放送局毎に時系列表示、時間帯毎に各放送局の番組を並列表示、指定条件に一致する番組だけを表示などの提示方法がある。このうち、指定条件に一致したものを表示する場合には、予め準備された条件を選択する方法と、利用者が自由に条件を指定する方法がある。前者の例としては、番組のジャンル分けの指定で、「映画」、「スポーツ」、「音楽」などの候補から選択する場合である。後者の例は、番組出演者名を指定する場合で、歌手、俳優、スポーツ選手の名前を指定することになる。この場合、候補として名前を表示するのには対照の名前が多すぎるので、実際には赤外線リモコンの操作ボタンを駆使して文字入力をして指定することになる。
【０００５】
ところが、一般に、赤外線リモコン装置の操作ボタンは、文字入力に適した配置とはなっておらず、ＶＤＲ出力画面上にキーボードを模した画像や、五十音表を表示し、リモコン装置の矢印キーによる上下左右方向の画面上のカーソル移動により、一文字ずつ選択させる、いわゆるソフトウェアキーボードが採用される。しかし、利用者に自由にキーワード設定を許すために、画面上にキーボードの画像を表示してキーを選択させるソフトウェアキーボードでは、リモコン装置のボタンを押す操作が非常に多くなり、使い勝手が悪く、入力操作が容易ではない。
【０００６】
そこで、この点を改善するために、従来より音声にて入力を行う音声認識処理システムが知られている（例えば、特許文献１参照）。この特許文献１記載の従来の音声認識処理システムでは、ディジタル放送受信装置本体のマイクで音声入力し、ディジタル放送受信装置本体内の音声認識手段で音声認識処理を行う第１の方法と、リモコン装置のマイクで音声を入力し、リモコン装置内の音声認識手段で音声認識処理を行い、認識結果をリモコン信号を用いてディジタル放送受信装置本体に送信する第２の方法とが提案されている。
【０００７】
図１２は従来の音声認識処理システムの一例のブロック図を示す。この音声認識処理システムは、上記の第１の方法を実現する処理システムであり、ディジタル放送受信装置１が、中央処理装置３、メモリ装置４、外部記憶装置５による音声認識手段を有すると共に、テレビ放送波を選局受信するチューナ装置６、選局したテレビ放送画像などを表示する表示装置７、リモコン装置２からの赤外線を受光して光電変換する赤外線受光部８、音声を収音するマイク９を有している。
【０００８】
リモコン装置２はディジタル放送受信装置１を遠隔操作するための装置で、遠隔操作信号であるリモコン信号を赤外線の形態で発光する赤外線発光部１０と、音声入力のための操作ボタン（音声入力ボタン）１１と、データ転送のための操作ボタン１２とを有している。
【０００９】
次に、この従来の音声認識処理システムの動作について、図１３のフローチャートと共に説明する。まず、利用者はリモコン装置２の操作ボタン（音声入力ボタン）１１を押下すると（ステップＳ１０１）、リモコン装置２の赤外線発光部１０から操作ボタン１１の押下を示すコードの赤外線リモコン信号が発光される。この赤外線リモコン信号は、赤外線受光部８により受光されて光電変換され、得られた電気信号に基づきディジタル放送受信装置１を音声認識処理可能状態とする。
【００１０】
続いて、利用者がディジタル放送受信装置１の本体に設けられたマイク９に向かって入力しようとする操作を発声すると（ステップＳ１０２）、マイク９により音響−電気変換されて音声信号が発生され、その音声信号がディジタル信号に変換された後、中央処理装置３、メモリ装置４及び外部記憶装置５により公知の音声認識処理が行われる（ステップＳ１０３）。この音声認識処理結果は、中央処理装置３にて検索キーワードに利用される（ステップＳ１０４）。
【００１１】
図１４は従来の音声認識処理システムの他の例のブロック図を示す。この音声認識処理システムは、上記の第２の方法を実現する処理システムであり、ディジタル放送受信装置１３が、テレビ放送波を選局受信するチューナ装置６、選局したテレビ放送画像などを表示する表示装置７、リモコン装置２からの赤外線を受光して光電変換する赤外線受光部８を有する従来の構成である。これに対し、リモコン装置１４は、図１２に示したリモコン装置２と同様に、赤外線発光部１０、操作ボタン（音声入力ボタン）１１及びデータ転送用操作ボタン１２を有するが、更にこれに加えて、マイク１５、中央処理装置１６、メモリ装置１７及び外部記憶装置１８を有している点に特徴がある。
【００１２】
次に、この従来の音声認識処理システムの動作について、図１５のフローチャートと共に説明する。まず、利用者はリモコン装置１４の操作ボタン（音声入力ボタン）１１を押下すると（ステップＳ２０１）、リモコン装置１４の赤外線発光部１０から操作ボタン１１の押下を示すコードの赤外線リモコン信号が発光される。この赤外線リモコン信号は、赤外線受光部８により受光されて光電変換される。
【００１３】
続いて、利用者がリモコン装置１４に設けられているマイク１５に向かって入力しようとする操作を発声すると（ステップＳ２０２）、マイク１５により音響−電気変換されて音声信号が発生され、その音声信号がディジタル信号に変換された後、リモコン装置１４内の中央処理装置１６、メモリ装置１７及び外部記憶装置１８により公知の音声認識処理が行われる（ステップＳ２０３）。その音声認識結果は、一旦メモリ装置１７に蓄積される。
【００１４】
続いて、利用者がリモコン装置１４のデータ転送用ボタン１２を押下すると、中央処理装置１６の制御の下で、メモリ装置１７から上記の音声認識結果が読み出されて赤外線発光部１０に供給され、音声認識結果に応じたコードの赤外線リモコン信号が発光されてディジタル放送受信装置１３へ送信される（ステップＳ２０４）。ディジタル放送受信装置１３は、赤外線受光部８にて上記の赤外線リモコン信号を受光して電気信号に変換し、得られた電気信号に基づき所定の制御回路により検索キーワードに利用する（ステップＳ２０５）。
【００１５】
【特許文献１】特開２００２−２９０８５９号公報
【発明の開示】
【発明が解決しようとする課題】
【００１６】
しかるに、図１２に示した従来の音声認識処理システムでは、リモコン装置２を操作する利用者とマイク９が離れているために、入力される音声に雑音が入りやすいという欠点がある。また、ディジタル放送受信装置１本体に音声認識処理システムとして高機能の中央処理装置３、認識処理参照辞書データのための外部記憶装置５が必要で、システム全体が高価となる。また、この認識処理用参照辞書データは日々更新されることが望ましく、更新のための処理が煩雑である。
【００１７】
一方、図１３に示した従来の音声認識処理システムでは、利用者が操作するリモコン装置１４にマイク１５が設けられているため、マイク１５からの雑音を低減する効果はあるが、リモコン装置１４本体に音声認識処理システムの中央処理装置１６、認識処理用参照辞書データのための外部記憶装置１８を搭載することで、リモコン装置１４のコスト上昇が避けられない。また、認識処理用辞書の更新用記憶領域を想定した外部記憶装置１８のリモコン装置１４への搭載は更なるコスト上昇につながるという問題がある。
【００１８】
本発明は、以上の点に鑑みなされたもので、マイクからの雑音を低減する効果を備え、かつ、リモコン装置のコスト上昇を抑え得る音声認識処理システム及びそれに用いる映像信号記録再生装置を提供することを目的とする。
【００１９】
また、本発明の他の目的は、キーワード入力の操作性を改善し得る音声認識処理システム及びそれに用いる映像信号記録再生装置を提供することにある。
【課題を解決するための手段】
【００２０】
上記の目的を達成するため、第１の発明の音声認識処理システムは、映像信号記録再生装置を遠隔操作する機能と音声入出力機能を備えたリモコン装置と、入力された音声信号の音声認識処理を行う音声認識処理サーバと、リモコン装置及び音声認識処理サーバ間を回線接続する所定の伝送手段とよりなる音声認識処理システムであって、リモコン装置は、入力された映像信号記録再生装置の動作制御に関する音声を収音して、ディジタル音声データに変換する音声入力手段と、ディジタル音声データを所定の伝送手段を介して音声認識処理サーバに送信する第１の送信手段と、音声認識処理サーバによるディジタル音声データの音声認識結果を、所定の伝送手段を介して音声認識処理サーバから受信する第１の受信手段と、映像信号記録再生装置を赤外線リモコン信号により遠隔操作して所望の動作を行わせると共に、第１の受信手段により受信した音声認識結果を映像信号記録再生装置へ赤外線リモコン信号の形態で送信して、映像信号記録再生装置に音声認識結果に応じた動作を行わせる第２の送信手段とを有し、
音声認識処理サーバは、リモコン装置から所定の伝送手段を介して送信されたディジタル音声データを受信する第２の受信手段と、第２の受信手段により受信したディジタル音声データの音声認識処理を行い、得られた音声認識結果を、所定の伝送手段を介してリモコン装置へ送信する音声認識結果送信手段とを有する構成としたものである。
【００２１】
この発明では、リモコン装置は音声認識処理機能を有しておらず、外部の音声認識処理サーバに所定の伝送手段を介して接続し、リモコン装置にて映像信号記録再生装置の動作制御に関する音声を入力して得たディジタル音声データを音声認識処理サーバにより音声認識処理させ、これにより得られた音声認識処理結果を受けて、リモコン装置がリモコン信号の形態で映像信号記録再生装置へ送信する。
【００２２】
また、上記の目的を達成するため、第２の発明の音声認識処理システムは、リモコン装置が、第１の受信手段により受信した音声認識結果をリモコン信号送信手段により映像信号記録再生装置へ赤外線リモコン信号の形態で送信する際に、少なくとも映像信号記録再生装置のシリアル番号とリモコン装置固有の所定の番号とを送信すると共に、映像信号記録再生装置のシリアル番号とリモコン装置固有の所定の番号とを組み合わせＩＤ番号として記憶する不揮発性の外部記憶装置を有することを特徴とする。
【００２３】
また、上記の目的を達成するため、第３の発明の音声認識処理システムは、音声認識処理サーバを複数のリモコン装置に共通に設け、所定の伝送手段は、音声認識処理サーバに接続される通信ネットワークと、通信ネットワークとリモコン装置とを個別に接続する無線通信網とからなることを特徴とする。この発明では、リモコン装置がリモコン信号の伝送路とは異なる伝送路で音声認識処理サーバに接続して音声認識処理結果を得ることができる。
【００２４】
また、上記の目的を達成するため、第４の発明の映像信号記録再生装置は、第１の発明の音声認識処理システムにおいて用いられる映像信号記録再生装置であって、リモコン装置から送信される赤外線リモコン信号を受信するリモコン信号受信手段と、初期設定時にリモコン装置から送信された、リモコン装置固有の所定の番号と映像信号記録再生装置自身のシリアル番号を記憶するＩＤ番号記憶用外部記憶装置と、リモコン信号受信手段により受信した信号が、映像信号記録再生装置自身のシリアル番号及びリモコン装置固有の所定の番号からなる組み合わせＩＤ番号と音声認識結果であるときは、ＩＤ番号記憶用外部記憶装置に記憶されているリモコン装置固有の所定の番号と映像信号記録再生装置自身のシリアル番号を、受信した組み合わせＩＤ番号と比較し、両者が一致するときにのみ音声認識結果に基づく文字列を表示し、両者が不一致のときは音声認識結果を破棄する処理手段とを有することを特徴とする。
【００２５】
この発明では、リモコン装置から受信した映像信号記録再生装置自身のシリアル番号及びリモコン装置固有の所定の番号からなる組み合わせＩＤ番号と、映像信号記録再生装置が予め記憶している組み合わせ番号とが一致するときにのみ、音声認識結果の文字列を表示する。
【発明の効果】
【００２６】
第１の発明によれば、リモコン装置にて映像信号記録再生装置の動作制御に関する音声を入力して得たディジタル音声データを音声認識処理サーバにより音声認識処理させ、これにより得られた音声認識処理結果を受けて、リモコン装置がリモコン信号の形態で映像信号記録再生装置へ送信するようにしたため、リモコン装置のボタンを押す操作を非常に少なくできると共に、自由なキーワード入力の操作性を改善することができる。
【００２７】
また、第１の発明によれば、リモコン装置の音声入力時には音声認識処理サーバと所定の伝送手段で接続されており、利用者が発声時に口元に音声入力手段を近付けることが可能なため、周囲の雑音の少ない音声入力ができる。
【００２８】
更に、第１の発明によれば、リモコン装置とは別に設けた音声認識処理サーバにより、音声認識処理を行い、得られた音声認識処理結果をオンラインでリモコン装置に伝送するようにしているため、オフライン用の音声データ保持用バッファメモリをリモコン装置に搭載する必要が無く、音声認識処理回路を内蔵するリモコン装置に比べてリモコン装置のコストを大幅に低減できると共に、音声認識処理サーバにより語彙辞書の更新を頻繁に行うことが可能で音声認識精度を向上させることができる。
【００２９】
また、第２の発明によれば、映像信号記録再生装置に対して組み合わせＩＤ番号が一致するリモコン装置からの音声認識処理結果による操作のみを可能にできる。
【００３０】
また、第３の発明によれば、リモコン装置がリモコン信号の伝送路とは異なる伝送路で音声認識処理サーバに接続して音声認識処理結果を得るようにしたため、リモコン装置の音声入力時に、リモコン装置の赤外線発光部を映像信号記録再生装置の赤外線受光部に向けてリモコン装置を保持する必要が無く、音声入力の自由度を向上でき、また、音声認識処理サーバを多くのリモコン装置に共用することができ、リモコン装置自体のコスト低減と共に、音声認識処理システム全体も安価に構築できる。
【００３１】
更に、第４の発明によれば、リモコン装置から受信した映像信号記録再生装置自身のシリアル番号及びリモコン装置固有の所定の番号からなる組み合わせＩＤ番号と、映像信号記録再生装置が予め記憶している組み合わせ番号とが一致するときにのみ、音声認識結果の文字列を表示するようにしたため、正当権利者のリモコン装置の音声認識結果のみを映像信号記録再生装置の録画予約時や再生時の検索ワードなどに使用できる。
【発明を実施するための最良の形態】
【００３２】
次に、本発明を実施するための最良の形態について図面と共に説明する。図１は本発明になる音声認識処理システムの一実施の形態のブロック図を示す。同図において、音声認識処理システムは、赤外線リモコン信号送信機能と共に無線通信機能を備えたリモコン装置２０と、音声認識処理を行う音声認識処理サーバ３０と、音声認識処理サーバ３０に接続されるインターネット３５と、リモコン装置２０との間で無線通信する無線アクセスポイント３７と、インターネット３５と無線アクセスポイント３７を接続するインターネット接続装置３６と、リモコン装置２０により遠隔制御されるテレビ（ＴＶ）放送録画機４０と、画像表示装置５０からなる。
【００３３】
本実施の形態では、テレビ放送録画機４０を操作するリモコン装置２０に、中央処理装置２１、メモリ装置２２、不揮発性の外部記憶装置２３、操作ボタン２４、赤外線発光部２５、マイク２６、スピーカ２７、音声ディジタル変換部２８及び無線通信部２９を持ち、無線通信部２９から無線アクセスポイント３７、インターネット接続装置３６、インターネット３５からなる双方向の伝送路を経由して接続された音声認識処理サーバ３０に対して、マイク２６から入力した音声をディジタル化したデータを、上記の伝送路を経由して音声認識処理サーバ３０に送信し、この音声認識処理サーバ３０で音声認識処理を行った音声認識結果を、上記の伝送路を経由してリモコン装置２０に返送し、その音声認識結果を赤外線通信により、テレビ放送録画機４０に送信してその動作を制御する点に特徴がある。ここでは、テレビ放送録画機４０として、録画媒体にハードディスク装置（ＨＤＤ）４５を利用するハードディスクレコーダ（以下ＶＤＲ）を例にとって説明する。
【００３４】
リモコン装置２０、テレビ放送録画機（ＶＤＲ）４０、画像表示装置５０、無線アクセスポイント３７及びインターネット接続装置３６は家庭内に設けられており、音声認識処理サーバ３０とインターネット３５は屋外に設けられている。音声認識処理サーバ３０は、音声認識処理を行う中央処理装置３１と、プログラム等を記憶するメモリ装置３２と、認識処理用参照辞書データを記憶する外部記憶装置３３と、インターネット３５に接続するためのイーサネット（登録商標）端子３４を有している。
【００３５】
また、無線アクセスポイント３７は、リモコン装置２０と無線通信するための無線通信部３８と、インターネット３５に接続するためのイーサネット（登録商標）端子３９を有している。この無線アクセスポイント３７は、一般のパーソナルコンピュータ用に利用しているものと共用可能である。
【００３６】
リモコン装置２０は、一般に複数のビデオ装置（ＶＤＲを含む）が１台のテレビジョン受像機（ＴＶ装置）に接続される場合を想定しており、同一メーカーのビデオ装置に対して、赤外線リモコン信号を複数の体系で準備している。具体的には、「ビデオコードＡ」、「ビデオコードＢ」のような形で２台のビデオ装置本体と単一のリモコン装置の設定が可能になっている。このリモコン装置２０の操作ボタン２４は、図２に示すように、装置本体の正面パネルに設けられた多数のボタン２４−１〜２１−３８からなる。
【００３７】
例えば、電源ボタン２４−１は、ＶＤＲ４０の電源のオン／オフに用いられ、ＴＶボタン２４−２はＴＶ装置の制御に用いられ、ボタン２４−３、２４−４は２台のビデオ装置の制御に用いられ、ボタン２４−５〜２４−１６は選局するチャンネル指定や数字入力に用いられ、ボタン２４−１８、２４−１９は、それぞれ選局するチャンネルを上昇方向または下降方向に変化させるために用いられる。また、本実施の形態では、リモコン装置２０に音声入力機能が搭載されているので、音声入力ボタン２４−３７とマイク２６が設けられている。
【００３８】
例えば、リモコン装置２０の「ＶＴＲ１」ボタン２４−３に、前述した「ビデオコードＡ」を割り当てる操作は、ＶＤＲ４０本体の電源が入った状態で、転送ボタン２４−２８を３秒以上押し、続いて数字の１（リモコンコードＡの場合）のボタン２４−５を押し、続いてＶＴＲ１のボタン２４−３を押し、最後に電源ボタン２４−１を押すことで行われる。本体の電源が正常に切れればリモコンＶＴＲ１の「ビデオコード」切り替えが正常に終了したことになる。
【００３９】
図１のＶＤＲ（ＴＶ放送録画機）４０は、中央処理装置４１を有すると共に、テレビ放送受信用のチューナ装置４２にて外部のアンテナ（図示せず）により受信したテレビ放送波から所望の放送局の放送信号を選局受信し、更に選局受信した放送信号から映像信号と音声信号に変換して、画像出力端子４６と音声出力端子４７から出力する。
【００４０】
また、利用者の操作により、受信した放送波の映像信号と音声信号はハードディスク装置４５に記録することができる。ハードディスク装置４５に記録された映像信号と音声信号は、利用者の操作により再生され、映像出力端子４６と音声出力端子４７から出力できる。また、この録画動作は、事前の録画指示による、タイマー録画を行うことも可能である。更に、ＶＤＲ４０は、画像出力端子４６から出力した映像信号を画像表示装置５０に表示し、また、音声出力端子４７から出力した音声信号を音声出力装置(図示せず)から出力する。
【００４１】
なお、画像表示装置５０には後述するように、音声認識処理結果の候補文字列なども表示される。また、画像表示装置５０に代えて、モニタ装置を設け、これに画像出力端子４６と音声出力端子４７とを接続してＶＤＲからの画像と音声の両方を表示及び発音できる構成としてもよい。
【００４２】
中央処理装置４１は外部記憶装置４４に蓄積された制御プログラムに従い、ＶＤＲ４０全体の制御を行う。その制御の一つとして、タイマー録画がある。タイマー録画は、所望の放送番組の録画開始時刻、録画終了時刻、放送チャンネル、録画品質の指定を予め設定し、ＶＤＲ４０内のメモリ装置４３または外部記憶装置４４上に保持しておく。ＶＤＲ４０内の時計機能（図示せず）が前述の録画開始時刻になると、中央処理装置４１が設定に従い、チューナ装置４２のチャンネル切り替え、録画品質の設定、録画開始、および録画停止を行う。
【００４３】
前述したＶＤＲ４０の録画予約の設定には、電子番組表（ＥＰＧ）のデータを利用することも可能になっている。ＥＰＧデータは、放送波に重畳されて、ＶＤＲ４０内に取り組む方法や、コンピュータとネットワーク接続する機能を持つＶＤＲであれば、ネットワーク経由で取り込むことも可能である。放送波に重畳されたＥＰＧデータを取り込む場合、チューナ装置４２で受信した放送波から、ＥＰＧデータを抽出し、外部記憶装置４４に記録保持することになる。このＥＰＧデータには、放送日、放送開始時刻、放送終了時刻、放送局名、放送番組名、副番組名、番組内容の解説、番組のジャンル、副ジャンル、出演者名、出演者の属性情報などが含まれる。
【００４４】
図３（Ａ）にＥＰＧの標準的な表示例を示す。ここでは特定の放送局の放送番組を放送時間で表示している。番組名が選択状態（ここでは番組名の文字に下線を伏している）であると、その詳細情報が画面下部に表示される。また、特定のジャンル、出演者などの条件設定により、番組表示を行う場合、検索条件を設定することで可能である。
【００４５】
次に、図１の本実施の形態の動作について説明する。まず、本実施の形態のリモコン装置２０の初期設定時の動作について図２〜図６を併せ参照して説明する。リモコン装置２０は音声入力機能を搭載しており、この音声入力機能にビデオコードＡに設定されたＶＤＲ機能が対応しているかを確認する手順が必要となるので、この確認手順及びリモコン装置２０とＶＤＲ４０の組み合わせ登録、更にはリモコン装置２０と音声認識処理サーバ３０との間の接続テストが初期設定時に行われる。
【００４６】
まず、画像表示装置５０にＶＤＲ４０の画像が表示されている状態で、リモコン装置２０の「メニュー」ボタン２４−３６を押し、矢印キー（図２のボタン２４−３１から２４−３４）を操作し、画像表示装置５０にオプション設定画面を表示させる（図４のステップＳ１）。続いて、図２の矢印キー（ボタン２４−３１から２４−３４）と決定ボタン２４−３５を操作して、リモコン装置２０の登録設定の項目を選択し（図４のステップＳ２）、リモコンタイプとして「音声認識機能付き」を、リモコンコードとして「Ａ」を指定し（図４のステップＳ３）、更に音声認識機能付きリモコンの設定項目として、「音声認識機能を有効」に設定する（図４のステップＳ４）。
【００４７】
続いて、音声認識処理サーバ３０を指定する（図４のステップＳ５）。この場合は、予め登録されている「日本ビクターサーバ」を選択する。続いて、リモコン装置２０に内蔵している無線通信部２９による無線接続の設定を指定する（図４のステップＳ６）。この無線接続の設定は家庭内の無線ネットワークとして一般的な無線ＬＡＮ「ＩＥＥＥ８０２．１１ｂ規格」を利用する。この設定は、ＩＥＴＦ（Ｉｎｔｅｒｎｅｔ  Ｅｎｇｉｎｅｅｒｉｎｇ  Ｔａｓｋ  Ｆｏｒｃｅ）が標準プロトコル「ｚｅｒｏ  ｃｏｎｆｉｇｕｒａｔｉｏｎ」に準拠することで自動的に設定される。
【００４８】
あるいは、図５のフローチャートの手順で手動設定することも可能である。すなわち、「音声入力」ボタン２４−３７を押した後、３秒程度の一定時間内に「一覧リスト」ボタン２４−３０を押す（図５のステップＳ６−１）。この操作により、リモコン装置２０内で無線通信設定の変更処理が開始する（図５のステップＳ６−２）。続いてネットワーク名（ＥＳＳ−ＩＤ）を設定する（図５のステップＳ６−３）。英数字の入力は、「入力切替」ボタン２４−１７で英数字の切り替えを行い、数字キー（ボタン２４−５から２４−１６）を使って入力する（図５のステップＳ６−４）。
【００４９】
続いて、すべて入力したかどうか判断し（図５のステップＳ６−５）、入力されていなければ入力ミスがあるかどうか判断し（図５のステップＳ６−６）、入力ミスがあるときには、「戻る」ボタン２４−３８で修正する（図５のステップＳ６−７）。このようにしてすべて入力が終わると、続いて暗号キーを入力するかどうか判定する(図５のステップＳ６−８)。暗号キーを入力する場合は、暗号キーを設定した後(図５のステップＳ６−９)、「入力切替」ボタン２４−１７と数字キー（ボタン２４−５から２４−１６）を使って暗号キーを入力する（図５のステップＳ６−１０）。
【００５０】
入力が完了すると、ＶＤＲ４０から「決定」ボタン２４−３５を押すように指示され（図５のステップＳ６−１１）、当該「決定」ボタン２４−３５を押すことにより設定を終了する（図５のステップＳ６−１２）。
【００５１】
再び図４に戻って説明するに、ステップＳ６での無線通信設定が完了すると、続いて、ＶＤＲ４０のシリアル番号を入力し、リモコン装置２０とＶＤＲ４０の組み合わせ登録を行う（図４のステップＳ７）。次に、このステップＳ７の処理について、図６のフローチャートと共に詳細に説明する。
【００５２】
まず、「音声入力」２４−３７ボタンを押した後、３秒程度の一定時間内に「録画モード」ボタン２４−２９を押す（図６のステップＳ７−１）。この操作により、リモコン装置２０とＶＤＲ４０の組み合わせ登録動作が開始する（図６のステップＳ７−２）。条件を満たすと数字キー（図２のボタン２４−５から２４−１６）を使ってＶＤＲ４０のシリアル番号を入力する（図６のステップＳ７−３）。入力された数字はリモコン装置２０内のメモリ装置２２に登録し、リモコン装置２０内の赤外線発光部２５から赤外線でＶＤＲ４０へ送信する(図６のステップＳ７−４)。
【００５３】
続いて、すべての入力が終わったかどうか判定し(図６のステップＳ７−５)、終わっていなければ入力ミスをしたかどうか判定し(図６のステップＳ７−６)、入力ミスをしていなければステップＳ７−３の入力を継続し、入力ミスがあれば、「戻る」ボタン２４−３８で一文字を修正してから（図６のステップＳ７−７）、ステップＳ７−３の入力を継続する。
【００５４】
図７（Ａ）はＶＤＲ４０のシリアル番号が５桁であり、そのうちの上位３桁を入力した時点のＶＤＲ４０に接続された画像表示装置５０の表示画面を示す。また、図７（Ｂ）は５桁のシリアル番号をすべて入力し終った状態の画像表示装置５０の表示画面を示す。この表示画面に従い、リモコン装置２０の「決定」ボタン２４−３５を押すことにより、シリアル番号の入力が終了する。
【００５５】
シリアル番号を入力し終わると（図６のステップＳ７−５）、リモコン装置２０は内部の中央処理装置２１により、リモコン装置２０特有の数値として乱数を発生させる（図６のステップＳ７−８）。この乱数は工場出荷時に予めリモコン装置２０の外部記憶装置２３に記憶されている、リモコン装置２０の固有のシリアル番号と合成することも可能である。
【００５６】
具体的には、リモコン装置２０のシリアル番号が例えば、「１２１０００１２３４」の１０桁の数字であった場合に、５桁の乱数「９８７６０」を合成すると、図８（Ａ）に示すように、「１２１０００１２３４９８７６０」と１５桁の数字となる。また、他の合成列として、製品識別番号を含むシリアル番号が「１２１０００１２３４」であり、製品識別番号がその上位４桁の数字であれば、５桁の乱数「９８７６０」を合成すると、図８（Ｂ）に示すように、製品識別番号、乱数及びシリアル番号の順で合成され、１５桁の数字「１２１０９８７６０００１２３４」となる。
【００５７】
なお、上記の乱数は、リモコン装置２０と外部の音声認識処理サーバ３０(外部のサービス)と接続するため、サービスの有効なＩＤ確認への応用として導入されている。外部サービスが有料の場合、サービスを有効にする際に、(シリアル番号＋乱数)をＩＤに含めておけば、サービス利用の権利を多様化させられるからである。シリアル番号からは無料のサービス提供を受ける権利の有無を識別させる。また、有料サービスの契約時に乱数を設定し、リモコン装置２０の外部記憶装置２３と音声認識処理サーバ３０の外部記憶装置３３に記憶させておく。
【００５８】
続いて、ＶＤＲ４０の画面表示で「決定」ボタン２４−３５を押すように指示する（図６のステップＳ７−９）。その画面指示に従い利用者が「決定」ボタン２４−３５を押すと、リモコン装置２０内で発生された乱数と、ＶＤＲ４０のシリアル番号がＶＤＲ４０本体に赤外線発光部２５から赤外線リモコン信号で送信される（図６のステップＳ７−１０）。
【００５９】
ＶＤＲ４０はこの赤外線リモコン信号を赤外線受光部４８で受光して電気信号に変換し、中央処理装置４１の制御に従い、受信したシリアル番号とリモコンの乱数をセットにして「組み合わせＩＤ番号」として不揮発性の外部記憶装置４４に記憶しておく（図６のステップＳ７−１１）。一方、リモコン装置２０はこの「組み合わせＩＤ番号」を不揮発性の外部記憶装置２３に記憶しておく（図６のステップＳ７−１２）。
【００６０】
再び図４に戻って説明するに、ステップＳ８にて図６のフローチャートに従ってリモコン装置２０とＶＤＲ４０の組み合わせ登録が行われると、続いてリモコン装置２０は音声認識処理サーバ３０との間で無線通信及びインターネット３５を利用して接続テストを行う（図４のステップＳ８）。この接続テストに成功すると、初期設定を終了する（図４のステップＳ９）。
【００６１】
次に、利用者が実際にＥＰＧを利用して録画予約を行う場合の動作について、図１〜図３、図９と共に説明する。利用者は、ＥＰＧを利用して録画予約を行う場合、画像表示装置５０にＶＤＲ４０の画像が表示されている状態で、まず、リモコン装置２０の図２に示した「メニュー」ボタン２４−３６を押して、「ＥＰＧ予約」の項目を、矢印キー（図２のボタン２４−３１から２４−３４）と「決定」ボタン２４−３５を使って選択する。標準的なＥＰＧ表示は図３（Ａ）に示すように、放送チャンネル毎に放送時間順に表示された形式である。一覧表示されている項目を選択すると、その番組の出演者名などの詳細情報を欄外に表示したり、詳細表示画面に表示切替することが可能である。
【００６２】
特定の条件で検索する場合は、ＥＰＧ表示画面表示の代わりに、図３（Ｂ）に示すような検索条件設定画面を画像表示装置５０に表示させる。この場合、検索条件は図３（Ｂ）に示すように、ジャンル、出演者名、番組名などを指定することが可能である。検索条件の指定は、画面表示上の、対象となる項目の入力欄を矢印キー（図２のボタン２４−３１から２４−３４）で指定する（図９のステップＳ１１）。図３（Ｂ）ではジャンルとしてスポーツを、番組名としてチーム○○○を指定している。
【００６３】
その状態で、利用者がリモコン装置２０の音声入力ボタン２４−３７を押してリモコン装置２０の音声入力機能を有効にする（図９のステップＳ１２）。すると、リモコン装置２０は、無線通信部２９から音声認識処理サーバ３０と回線接続することを要求する無線信号を送信し、その無線信号が無線アクセスポイント３７の無線通信部３８で受信された後、イーサネット（登録商標）端子３９、インターネット３５を介して予め設定されている音声認識処理サーバ３０に伝送して双方向の伝送路の回線接続をする（図９のステップＳ１３）。
【００６４】
この回線接続状態でマイク２６に向かって、利用者がＶＤＲ４０を遠隔操作する内容の音声を発声して入力する。その際、利用者は赤外線発光部２５を一定の向きとなるようにリモコン装置２０を保持する必要はなく、マイク２６を口元に近付けて発声することができる。赤外線通信で外部の音声認識処理サーバとオンライン状態を保つのではなく、本実施の形態では無線通信路及びネットワーク通信路を介して音声認識処理サーバ３０と回線接続状態にあるからである。マイク２６を口元に近付けて発声することにより、周囲の雑音による外乱の少ない音声入力が可能となる。
【００６５】
マイク２６により利用者の音声は電気信号に変換され、更に音声ディジタル変換部２８によりディジタル音声データに変換され、そのディジタル音声データが無線通信部２９から上記の無線アクセスポイント３７へ無線送信され、更にこれよりインターネット接続装置３６及びインターネット３５からなる回線接続状態の伝送路を通して音声認識処理サーバ３０に送出される（図９のステップＳ１４）。
【００６６】
音声入力の終了部分は、リモコン装置２０が発声の所定時間以上の無音部分を自動的に検出することで認識する（図９のステップＳ１５）。あるいは、利用者が、自らリモコン装置２０の所定のボタンを押すことで、入力終了を音声認識処理サーバ３０に通知することも可能である。ディジタル音声データは音声認識処理サーバ３０で音声認識処理される（図９のステップＳ１６）。
【００６７】
音声認識処理サーバ３０は、音声認識処理により得た最上位の候補と、それに続く候補文字列を、音声認識結果として上記の伝送路を通してリモコン装置２０に送信する（図９のステップＳ１７）。リモコン装置２０は、音声認識結果を受信すると、その受信した音声認識結果を一時的にメモリ装置２２に蓄積すると同時に、不揮発性の外部記憶装置２３に受信データの履歴データとして蓄積した後、利用者に対して、音声認識処理が終了したことを知らせるために、スピーカ２７から処理終了を知らせるブザー音を発音する（図９のステップＳ１８）。このブザー音は、単純な電子音でも、事前に録音した音声や合成音声を利用することも可能である。
【００６８】
利用者は、リモコン装置２０の上記のブザー音により音声認識処理終了を確認すると、転送ボタン２４−２８を押すことで、音声認識結果をＶＤＲ４０本体に赤外線発光部２５から赤外線リモコン信号で転送する（図９のステップＳ１９）。このとき、組み合わせＩＤ番号を音声認識結果に付加してＶＤＲ４０に赤外線で送信してもよい。
【００６９】
ＶＤＲ４０は上記の赤外線リモコン信号を赤外線受光部４８で受光して電気信号に変換し、得られた音声認識結果を中央処理装置４１の制御により画像信号に変換し、画像表示装置５０の検索条件設定画面に、受信した音声認識結果の候補を列挙する（図９のステップＳ２０）。図３（Ｃ）は図３（Ｂ）に示した画面で検索指定したジャンルがスポーツで番組名がチーム○○○の検索結果が表示されている。利用者は、上記の表示されている音声認識結果の候補の中から図２に示した矢印キー（ボタン２４−３１から２４−３４）と「決定」ボタン２４−３５で、希望する音声認識結果を指定して、入力を確定する（図９のステップＳ２１）。
【００７０】
利用者は更に別の検索条件を選択し、同様の音声認識を行って条件設定することも可能である。検索条件設定が終了したら、矢印キー（図２のボタン２４−３１から２４−３４）と図２の「決定」ボタン２４−３５で検索開始の指示を出す。このときＶＤＲ４０では、音声認識結果と共に受信した組み合わせＩＤ番号が、外部記憶装置４４に登録されているＩＤ番号と一致していない場合、利用者に警告を提示して、音声認識結果を破棄することもできる。ＶＤＲ４０の本体内のＥＰＧデータから指定検索条件に適応した番組が抽出され、画面に図３（Ｃ）に示すように表示される。抽出された番組を選択して、「決定」ボタン２４−３５を押すことで、ＥＰＧ予約が設定される。
【００７１】
次に、録画済みの番組一覧から、希望の番組を検索、選択、再生する場合について、図９のフローチャート及び図１０の画面例等を併せ参照して説明する。利用者がリモコン装置２０の図２に示した「一覧リスト」ボタン２４−３０を押すと、これによりリモコン装置２０からＶＤＲ４０に赤外線リモコン信号が送信され、ＶＤＲ４０の赤外線受光部４８が受光して電気信号の一覧リスト信号を受信する。この一覧リスト信号の受信に基づき、中央処理装置４１はハードディスク装置４５に録画されている番組情報を読み出して、画像表示装置５０に図１０（Ａ）に示すような、録画順に放送局、番組名、録画日時、録画時間等が一覧表示された形式の録画順一覧表示画面を表示する。
【００７２】
続いて、図１０（Ａ）の録画順一覧表示画面中の表示順項目「録画順」をリモコン装置２０の矢印キー（図２のボタン２４−３１から２４−３４）で選択し、図２の「決定」ボタン２４−３５を押すことで、表示順項目が切り替わる。表示順項目として「検索条件指定」を選ぶと、図１０（Ｂ）に示すような条件設定画面が表示される。ここで、条件設定対象を選択し（図９のステップＳ１１）、リモコンの音声入力ボタン２４−３７を押して、リモコン装置２０の音声入力機能を有効にすると（図９のステップＳ１２）、リモコン装置２０は、予め設定されている音声認識処理サーバ３０との間で前述した双方向の伝送路を回線接続する（図９のステップＳ１３）。
【００７３】
この状態で、リモコン装置２０のマイク２６に利用者が口元を近付けて発声した音声を入力すると、その音声はマイク２６により電気信号に変換され、音声ディジタル変換部２８によりディジタル化されてディジタル音声データとされ、上記の伝送路を通して音声認識処理サーバ３０に送出される（図９のステップＳ１４）。音声入力の終了部分は、リモコン装置２０で発声の所定時間以上の無音部分を自動認識する（図９のステップＳ１５）。あるいは、利用者が、自らリモコン装置２０の所定のボタンを押すことで、入力終了を音声認識処理サーバ３０に通知することも可能である。
【００７４】
上記のディジタル音声データは、音声認識処理サーバ３０で音声認識処理される（図９のステップＳＴ１６）。音声認識処理サーバ３０は、音声認識処理により得た最上位の候補と、それに続く候補文字列を、音声認識結果として上記の伝送路を通してリモコン装置２０に送信する（図９のステップＳ１７）。リモコン装置２０は、音声認識結果を受信すると、その受信した音声認識結果を一時的にメモリ装置２２に蓄積すると同時に、不揮発性の外部記憶装置２３に受信データの履歴データとして蓄積した後、利用者に対して、音声認識処理が終了したことを知らせるために、スピーカ２７から処理終了を知らせるブザー音を発音する（図９のステップＳ１８）。このブザー音は、前述したように、単純な電子音でも、事前に録音した音声や合成音声を利用することも可能である。
【００７５】
利用者は、リモコン装置２０の上記のブザー音により音声認識処理終了を確認すると、転送ボタン２４−２８を押すことで、音声認識結果をＶＤＲ４０本体に赤外線発光部２５から赤外線リモコン信号で転送する（図９のステップＳ１９）。このとき、組み合わせＩＤ番号を音声認識結果に付加してＶＤＲ４０に赤外線で送信してもよい。
【００７６】
ＶＤＲ４０は上記の赤外線リモコン信号を赤外線受光部４８で受光して電気信号に変換し、得られた音声認識結果を中央処理装置４１の制御により画像信号に変換し、画像表示装置５０の検索条件設定画面に、受信した音声認識結果の候補を列挙する（図９のステップＳ２０）。利用者は、表示されている音声認識結果の候補の中から図２に示した矢印キー（ボタン２４−３１から２４−３４）と「決定」ボタン２４−３５で、希望する音声認識結果を指定して、入力を確定する（図９のステップＳ２１）。
【００７７】
検索条件設定が終了したら、矢印キー（図２のボタン２４−３１から２４−３４）と図２の「決定」ボタン２４−３５で検索開始の指示を出す。このときＶＤＲ４０では、音声認識結果と共に受信した組み合わせＩＤ番号が、外部記憶装置４４に登録されているＩＤ番号と一致していない場合、利用者に警告を提示して、音声認識結果を破棄することもできる。ＶＤＲ４０の本体内の録画済番組データから指定検索条件に適応した番組が抽出され、画面に図１０（Ｃ）に示すように表示される。抽出された番組を選択して、「決定」ボタン２４−３５を押すことで、指定番組の再生が開始される。
【００７８】
次に、利用者が履歴データを用いて再生する録画番組を選択する場合の動作について、図１、図２及び図１１と共に説明する。利用者は、まず、リモコン装置２０の操作ボタン２４を操作して、ＶＤＲ４０を検索キーワード入力受付状態とする（図１１のステップＳ３１）。続いて、この検索キーワード入力受付状態で、利用者がリモコン装置２０の転送ボタン２４−２８を押すと、中央処理装置２１が再利用のために外部記憶装置２３に蓄積されていた音声認識結果の履歴データを読み出して赤外線発光部２５からＶＤＲ４０に赤外線リモコン信号を送信する（図１１のステップＳ３２）。
【００７９】
ＶＤＲ４０はこの赤外線リモコン信号を赤外線受光部４８で受光して電気信号である音声認識結果の履歴データに変換し、それを候補文字列として画像表示装置５０の検索条件設定画面に列挙する（図１１のステップＳ３３）。利用者はその検索条件表示画面を見ながら、リモコン装置２０の矢印キー（図２のボタン２４−３１から２４−３４）で希望する文字列を選択したあと、図２の「決定」ボタン２４−３５で入力を確定する（図１１のステップＳ３４）。
【００８０】
利用者は更に別の検索条件を選択し、同様の音声認識を行って条件設定することも可能である。検索条件設定が終了したら、矢印キー（図２のボタン２４−３１から２４−３４）と「決定」ボタン２４−３５で再生開始の指示を出す。このときＶＤＲ４０では、音声認識結果と共に受信した組み合わせＩＤ番号が、外部記憶装置４４に登録されているＩＤ番号と一致していない場合、利用者に警告を提示して、音声認識結果を破棄することもできる。上記の再生開始の指示に従い、ＶＤＲ４０は選択された履歴データから指定検索条件に適合した番組が抽出され、画面に表示される。抽出された番組を選択して、「決定」ボタン２４−３５を押すことで、指定番組の再生が開始される。
【００８１】
以上説明した本実施の形態によれば、利用者がマイク２６に口元を近付けて発声することができるため、周囲の雑音が入力されることが殆ど無く、マイク２６から入力される雑音を低減できる。また、本実施の形態では、リモコン装置２０内には音声認識処理回路を搭載しておらず、そのための高性能なＣＰＵ、作業用メモリ、音素解析辞書や語彙辞書用のメモリ、更には追加辞書用のメモリなどが不要であり、しかもリモコン装置２０は外部の音声認識処理サーバ３０とのオンライン接続により音声認識処理結果を得るようにしているので、オフライン用の音声データ保持用バッファメモリも不要であるため、リモコン装置２０のコストを音声認識処理回路を搭載したリモコン装置に比べて低減することができる。
【００８２】
更に、本実施の形態では、屋外の音声認識処理サーバ３０を、多くの利用者が個別に有するリモコン装置２０で共用できるため、音声認識処理サーバ３０のコストを利用者数(リモコン装置２０の出荷数)で分担できることとなり、安価な音声認識処理システムを構築することができる。
【００８３】
なお、本発明は上記の実施の形態に限定されるものではなく、例えば図１の実施の形態では１台のＶＤＲ４０の検索キーワードを音声を使って入力する例を示しているが、例えば２台のＶＤＲのうち所望の１台のＶＤＲの検索キーワードを入力することも可能である。この場合、図１に２台目のＶＤＲを追加すると共に、図４のステップＳ３でビデオコードＡにより１台目のＶＤＲを指定するか、ビデオコードＢにより２台目のＶＤＲを指定することができる。ビデオコードＡ，Ｂはリモコン装置２０のＶＴＲボタン２４−３、２４−４で切り替えることができる。
【００８４】
また、上記の実施の形態では、無線通信装置として、無線ＬＡＮ「ＩＥＥＥ８０２．１１ｂ」を例に説明したが、他の無線規格である近距離無線「Ｂｌｕｅｔｏｏｔｈ規格」、ＵＷＢ（Ultra Wide Band）を利用することも可能である。また、上記の実施の形態ではインターネットを利用して音声認識処理サーバ３０とリモコン装置２０とを接続するようにしたが、本発明は、携帯電話網などの無線公衆回線や専用回線を利用することも可能である。
【００８５】
更に、音声認識処理サーバ３０として「日本ビクターサーバ」を例にあげたが、これは一例に過ぎず仮想的に１台のサーバとして動作する複数の処理装置群で構成することも可能である。また、上記の実施の形態では、検索キーワードを音声入力する対象機器としてテレビ放送録画機４０について説明したが、本発明はこれに限定されるものではなく、ハードディスク装置以外の記録媒体に映像信号及び音声信号を記録し再生する映像信号記録再生装置にも適用でき、また、テレビ放送波の録画機能を有していない映像信号記録再生装置にも本発明を適用することができる。
【図面の簡単な説明】
【００８６】
【図１】本発明の一実施の形態のシステム構成図である。
【図２】図１中のリモコン装置の操作ボタンの一例の配置図である。
【図３】ＥＰＧの標準的な表示、検索指定、検索結果の画面表示例を示す図である。
【図４】本発明の一実施の形態の初期設定動作説明用フローチャートである。
【図５】本発明システムにおけるリモコン装置と音声認識処理サーバとの接続を手動で行うときのフローチャートである。
【図６】本発明システムにおけるリモコン装置とＶＤＲの組み合わせ登録説明用フローチャートである。
【図７】ＶＤＲのシリアル番号の入力時の画面例である。
【図８】リモコン装置のシリアル番号とリモコン装置で発生した乱数の合成例である。
【図９】本発明システムの録画予約時、及び録画済み番組の検索、選択、再生時の動作説明用フローチャートである。
【図１０】本発明システムにおける録画済み番組の一覧表示画面、検索条件指定画面及び検索結果表示画面の各例を示す図である。
【図１１】本発明システムにおける音声認識結果の履歴データを選択するときの動作説明用フローチャートである。
【図１２】従来システムの一例のシステム構成図である。
【図１３】図１２の従来システムの動作説明用フローチャートである。
【図１４】従来システムの他の例のシステム構成図である。
【図１５】図１４の従来システムの動作説明用フローチャートである。
【符号の説明】
【００８７】
２０  リモコン装置
２１、３１、４１  中央処理装置
２２、３２、４３  メモリ装置
２３、３３、４４  外部記憶装置
２４  操作ボタン
２５  赤外線発光部
２６  マイク
２７  スピーカ
２８  音声ディジタル変換部
２９、３８  無線通信部
３０  音声認識処理サーバ
３４、３９  イーサネット（登録商標）端子
３５  インターネット
３６  インターネット接続装置
３７  無線アクセスポイント
４０  ＴＶ放送録画機（ＶＤＲ）
４２  チューナ装置
４５  ハードディスク装置
４６  画像出力端子
４７  音声出力端子
４８  赤外線受光部
５０  画像表示装置
【図１】
2005065156.tif 000003
【図２】
2005065156.tif 000004
【図３】
2005065156.tif 000005
【図４】
2005065156.tif 000006
【図５】
2005065156.tif 000007
【図６】
2005065156.tif 000008
【図７】
2005065156.tif 000009
【図８】
2005065156.tif 000010
【図９】
2005065156.tif 000011
【図１０】
2005065156.tif 000012
【図１１】
2005065156.tif 000013
【図１２】
2005065156.tif 000014
【図１３】
2005065156.tif 000015
【図１４】
2005065156.tif 000016
【図１５】
2005065156.tif 000017